(57)【要約】【課題】ファンからの送風による光源の冷却を促進することができる投写型映像表示装置を提供する【解決手段】投写型映像表示装置であるプロジェクタ１は、映像表示用のランプ２と、ランプ２とは異なる光学部品である偏光変換素子３２及び液晶ライトバルブ３６ｒ，３６ｇ，３６ｂと、電力を供給する電源部４０とを備える。また、プロジェクタ１は、所定の回転軸を中心として羽根が回転することにより、回転軸に平行な軸方向から気体を吸い込んで、回転軸から遠ざかる遠心方向に送風する遠心ファン７０を備え、遠心ファン７０は、偏光変換素子３２及び液晶ライトバルブ３６ｒ，３６ｇ，３６ｂ及び電源部４０を冷却した気体をランプ２に送風する両吸込型のファンである。【選択図】図３
2012073524.tif 000002
【特許請求の範囲】
【請求項１】
映像表示用の光源と、この光源とは異なる光学部品と、電力を供給する電源部とを備える投写型映像表示装置であって、
所定の回転軸を中心として羽根が回転することにより、前記回転軸に平行な軸方向から気体を吸い込んで、前記回転軸から遠ざかる遠心方向に送風する遠心ファンを備え、
前記遠心ファンは、前記光学部品及び前記電源部を冷却した気体を前記光源に送風する両吸込型のファンである
ことを特徴とする投写型映像表示装置。
【請求項２】
前記遠心ファンは、前記軸方向のうち一方から前記光学部品を冷却した気体を吸い込むとともに、前記軸方向のうち他方から前記電源部を冷却した気体を吸い込む
ことを特徴とする請求項１に記載の投写型映像表示装置。
【請求項３】
前記光学部品として液晶ライトバルブを備え、
前記遠心ファンは、前記液晶ライトバルブを冷却した気体を吸い込んで前記光源に送風する
ことを特徴とする請求項１または２に記載の投写型映像表示装置。
【請求項４】
前記光学部品として偏光分離膜と位相差板とを有する偏光変換素子を備え、
前記遠心ファンは、前記偏光変換素子を冷却した気体を吸い込んで前記光源に送風する
ことを特徴とする請求項１〜３のいずれか一項に記載の投写型映像表示装置。
【請求項５】
前記電源部を冷却した気体を、前記電源部から吸い込むとともに、前記電源部を収容した筐体から排出する排気ファンをさらに備える
ことを特徴とする請求項１〜４のいずれか一項に記載の投写型映像表示装置。
【発明の詳細な説明】
【技術分野】
【０００１】
本願発明は、映像表示用の光源を冷却するためのファンを備えた投写型映像表示装置に関する。
【背景技術】
【０００２】
一般に、投写型映像表示装置であるプロジェクタは、光源等の発熱部を冷却するためのファンを備えている。また、一般的に、投写型映像表示装置は、冷却すべき発熱部として、光源以外に、例えば液晶パネル等の光学部品や電源部等を備えている。これらの発熱部を冷却するために、複数のファンを備える投写型映像表示装置が知られている（例えば特許文献１参照）。
【０００３】
また、複数の発熱部を冷却するために１つのファンを備えた構成の投写型映像表示装置が知られている（例えば特許文献２参照）。特許文献２には、ファンから送り出される気流により光源を冷却するとともに、ファンに吸い込まれる気流により光源以外の発熱部を冷却する構成が開示されている。
【先行技術文献】
【特許文献】
【０００４】
【特許文献１】特開２００４−５４０５５号公報
【特許文献２】特開２００９−６４０３２号公報
【発明の概要】
【発明が解決しようとする課題】
【０００５】
ところで、上記特許文献１に記載される構成においては、光源を収容した空間等を仕切り板により分けて、分けられた空間毎にファンが設けられる構成であるため、投写型映像表示装置の小型化が困難であるという問題があった。
【０００６】
上記特許文献２に記載の発明は小型の投写型映像表示装置を提供するものである。しかし、近年、光源の高輝度化に伴い光源の発熱量が大きくなる傾向にあり、特許文献２に記載される構成によれば、ファンからの送風によって光源を十分に冷却できないおそれがある。
【０００７】
本発明は、こうした実情に鑑みてなされたものであり、その目的は、ファンからの送風による光源の冷却を促進することができる投写型映像表示装置を提供することにある。
【課題を解決するための手段】
【０００８】
以下、上記目的を達成するための手段及びその作用効果について記載する。
請求項１に記載の発明は、映像表示用の光源と、この光源とは異なる光学部品と、電力を供給する電源部とを備える投写型映像表示装置であって、所定の回転軸を中心として羽根が回転することにより、前記回転軸に平行な軸方向から気体を吸い込んで、前記回転軸から遠ざかる遠心方向に送風する遠心ファンを備え、前記遠心ファンは、前記光学部品及び前記電源部を冷却した気体を前記光源に送風する両吸込型のファンであることを特徴とする。
【０００９】
上記構成によれば、投写型映像表示装置が、光学部品及び電源部を冷却した気体を光源に送風する両吸込型の遠心ファンを備えている。このため、片吸込型の遠心ファンに比べて、ファンにおける気体の吸込み面積を大きくすることができ、ファンにより送風される風量を確保することができる。その結果、ファンからの送風による光源の冷却を促進することができる。
【００１０】
請求項２に記載の発明は、請求項１に記載の投写型映像表示装置において、前記遠心ファンは、前記軸方向のうち一方から前記光学部品を冷却した気体を吸い込むとともに、前記軸方向のうち他方から前記電源部を冷却した気体を吸い込むことを特徴とする。
【００１１】
上記構成によれば、遠心ファンは、軸方向のうち一方から光学部品を冷却した気体を吸い込むとともに、軸方向のうち他方から電源部を冷却した気体を吸い込む。このため、光学部品を冷却した気体と電源部を冷却した気体とが、それぞれ異なる方向から遠心ファンに吸い込まれる。従って、光学部品から遠心ファンに流れる気体の流路と、電源部から遠心ファンに流れる気体の流路とが異なるため、流路設計が容易である。
【００１２】
請求項３に記載の発明は、請求項１または２に記載の投写型映像表示装置において、前記光学部品として液晶ライトバルブを備え、前記遠心ファンは、前記液晶ライトバルブを冷却した気体を吸い込んで前記光源に送風することを特徴とする。
【００１３】
上記構成によれば、遠心ファンは、液晶ライトバルブを冷却した気体を吸い込んで光源に送風する。このため、液晶ライトバルブを冷却した気体を、ランプの冷却に利用することができる。
【００１４】
請求項４に記載の発明は、請求項１〜３のいずれか一項に記載の投写型映像表示装置において、前記光学部品として偏光分離膜と位相差板とを有する偏光変換素子を備え、前記遠心ファンは、前記偏光変換素子を冷却した気体を吸い込んで前記光源に送風することを特徴とする。
【００１５】
上記構成によれば、遠心ファンは、偏光変換素子を冷却した気体を吸い込んで光源に送風する。このため、偏光変換素子を冷却した気体を、ランプの冷却に利用することができる。
【００１６】
請求項５に記載の発明は、請求項１〜４のいずれか一項に記載の投写型映像表示装置において、前記電源部を冷却した気体を、前記電源部から吸い込むとともに、前記電源部を収容した筐体から排出する排気ファンをさらに備えることを特徴とする。
【００１７】
上記構成によれば、投写型映像表示装置は、電源部を冷却した気体を、電源部から吸い込むとともに、電源部を収容した筐体から排出する排気ファンをさらに備える。従って、遠心ファンと排気ファンとにより電源部を冷却した気体が吸い込まれるため、遠心ファン及び排気ファンの一方のみを備える構成に比べて、電源部の冷却を促進することができる。
【発明の効果】
【００１８】
本発明によれば、ファンからの送風による光源の冷却を促進することができる。
【図面の簡単な説明】
【００１９】
【図１】（ａ）（ｂ）本発明の一実施形態に係る投写型映像表示装置であるプロジェクタの外観を示す斜視図。
【図２】同実施形態に係るプロジェクタが備える光学系の概略構成を示す模式図。
【図３】同実施形態に係るプロジェクタにおいて、光源及び光学部品及び電源部を冷却する気体の流れを示す模式図。
【図４】（ａ）（ｂ）同実施形態に係るプロジェクタが備える両吸込型のファンを示す斜視図。
【図５】同実施形態に係るプロジェクタにおいて、光学部品を冷却した気体の流れを示す模式図。
【図６】同実施形態に係るプロジェクタにおいて、電源部を冷却した気体の流れを示す模式図。
【発明を実施するための形態】
【００２０】
以下、本発明を具体化した一実施形態について図面を参照しながら説明する。なお、以下の説明において上方及び下方を含む上下方向は、図中において矢印を用いて示す方向である。
【００２１】
図１（ａ）及び（ｂ）に示すように、プロジェクタ１は、スクリーンや壁等に映像を投写して表示する投写型映像表示装置であって、電子部品や光学部品等を内蔵する筐体１０を備えている。
【００２２】
本実施形態においては、筐体１０は、下側に設けられる下側ケース１１、下側ケース１１の上方を覆う上側ケース１２、正面パネル１３、背面パネル１４（図１（ｂ）参照）、フィルタカバー１５、及びランプ２を覆うランプカバー１６等により構成されている。正面パネル１３は、投射レンズ３８側に設けられるとともに、背面パネル１４は、正面パネル１３の反対側であって種々の接続端子により構成された端子部１４ａ側に設けられている。
【００２３】
プロジェクタ１の底面を構成する下側ケース１１には、筐体１０の外部から内部に気体を吸い込むことが可能な開口である吸気口（図示略）が設けられている。同様に、正面パネル１３及びフィルタカバー１５にも、筐体１０の外部から内部に気体を吸い込むことが可能な開口である吸気口１３ａ，１５ａが設けられている。
【００２４】
以上のように、筐体１０には、筐体１０の外部から内部に気体を吸い込むことが可能な吸気口１３ａ，１５ａが形成されている。従って、筐体１０の外気である常温の空気を吸気口１３ａ，１５ａを通して筐体１０の内部に吸い込むことが可能である。そして、筐体１０の内部に吸い込まれた空気を用いて、プロジェクタ１が有する冷却対象部が冷却される。
【００２５】
図２に示すように、プロジェクタ１は、筐体１０の内部に設けられた光学部品として、映像表示用の光源であるランプ２と、白色光を赤・緑・青の三原色の光に分離するダイクロイックミラー３４ｂ，３４ｇと、三原色の光に対応した液晶ライトバルブ３６ｒ，３６ｇ，３６ｂとを備えている。図２は、プロジェクタ１が備える光学部品を上方から見た場合の模式図である。
【００２６】
ランプ２は、例えば超高圧水銀ランプやメタルハライドランプ等の放電ランプにより構成されている。ランプ２は、例えば水銀やハロゲン化物等の発光体が封入されている発光管２１と、発光管２１が発した光を所定方向に反射するリフレクタ２２とを備える。
【００２７】
ランプ２には発光管２１内において放電を発生させるための電力が供給される。ランプ２は、発光管２１内において放電が発生することにより発光管２１から白色光を発する。リフレクタ２２は、発光管２１が発した光を反射する反射鏡である。発光管２１から出射された光がリフレクタ２２で反射されることによって、リフレクタ２２が設けられていない場合に比べて、多くの光がランプ２から液晶ライトバルブ３６ｒ，３６ｇ，３６ｂに導かれる。
【００２８】
ランプ２が発する光は、ダイクロイックミラー３４ｂ，３４ｇ及びミラー３５により液晶ライトバルブ３６ｒ，３６ｇ，３６ｂに導かれる。このとき、ランプ２から出射された光が液晶ライトバルブ３６ｒ，３６ｇ，３６ｂに入射するまでに、一対のフライアイレンズにより構成されるインテグレータレンズ３１によって照度分布の均一化が図られるとともに、偏光変換素子３２によって偏光方向が所定方向に揃えられる。偏光変換素子３２は、ランプ２が発した光をＰ偏光成分とＳ偏光成分とに分離する偏光分離膜と、偏光分離膜により分離されたＰ偏光成分及びＳ偏光成分のいずれかの偏光成分を他方の偏光成分に変換する位相差板とを備えている。また、集光レンズ３３によって光束が収束されて液晶ライトバルブ３６ｒ，３６ｇ，３６ｂに光が入射するように構成されている。
【００２９】
ランプ２が発する白色光は、青色の波長の光を反射するダイクロイックミラー３４ｂと、緑色の波長の光を反射するダイクロイックミラー３４ｇとにより、赤色の波長の光（以下、「赤色光」）と緑色の波長の光（以下、「緑色光」）と青色の波長の光（以下、「青色光」）とに分離される。
【００３０】
白色光から分離された赤色光は液晶ライトバルブ３６ｒに入射する。また、白色光から分離された緑色光は液晶ライトバルブ３６ｇに入射する。また、白色光から分離された青色光は液晶ライトバルブ３６ｂに入射する。液晶ライトバルブ３６ｒ，３６ｇ，３６ｂは、画像を構成する画素毎に光の透過率が変更可能なライトバルブである。液晶ライトバルブ３６ｒ，３６ｇ，３６ｂの各々は、液晶パネルと、液晶パネルに対して光が入射する側に設けられた入射側光学部品と、液晶パネルから光が出射する側に設けられた出射側光学部品とにより構成されている。液晶パネルは、液晶分子を挟む透明基板を少なくとも含んでいる。また、入射側光学部品及び出射側光学部品は、偏光板を少なくとも含む。
【００３１】
液晶ライトバルブ３６ｒに入射した赤色光が液晶ライトバルブ３６ｒを透過することによって、赤色の映像が生成される。同様に、液晶ライトバルブ３６ｇに入射した緑色光が液晶ライトバルブ３６ｇを透過することによって、緑色の映像が生成され、液晶ライトバルブ３６ｂに入射した青色光が液晶ライトバルブ３６ｂを透過することによって、青色の映像が生成される。
【００３２】
さらに、プロジェクタ１は、光学部品として、三原色の映像の光を合成するクロスダイクロイックプリズム３７と、映像の光を投射するレンズ群を含む投射レンズ３８とを備えている。
【００３３】
液晶ライトバルブ３６ｒ，３６ｇ，３６ｂにおいて生成された赤・緑・青の映像の光は、クロスダイクロイックプリズム３７に入射して、クロスダイクロイックプリズム３７において合成されることにより、フルカラーの映像が生成される。生成されたフルカラーの映像の光は、クロスダイクロイックプリズム３７から出射されて投射レンズ３８に入射する。
【００３４】
投射レンズ３８は、プロジェクタ１の外部に設けられるスクリーンや壁等の平面に向けてフルカラーの映像の光を投射する。このようにしてプロジェクタ１は平面上に映像を表示することが可能である。以上のように、本実施形態に係るプロジェクタ１は、３板式の液晶プロジェクタである。
【００３５】
また、図３に示すように、プロジェクタ１は、筐体１０の内部に設けられた電源部４０を備えている。図３は、図２と同様にプロジェクタ１が備える部品を上方から見た場合の模式図である。図３における一点鎖線は、気体である冷却風の流れを示している。
【００３６】
電源回路により構成される電源部４０は、外部電源（不図示）から得られる電力を、プロジェクタ１が備える電力需要部に応じた電力に変換して、その電力需要部に電力を供給する。例えば、電源部４０は、外部電源から得られる交流電力を、所定の直流電力に変換して、電力需要部に供給する。本実施形態においてプロジェクタ１が備える電力需要部は、放電により光を発するランプ２、液晶に印加される電圧に応じて光の透過率が変化する液晶ライトバルブ３６ｒ，３６ｇ，３６ｂ、吸気ファン５１，５２，５３、排気ファン５４，５５、及び遠心ファン７０である。
【００３７】
本実施形態のプロジェクタ１は、冷却対象部である偏光変換素子３２及び液晶ライトバルブ３６ｒ，３６ｇ，３６ｂ及び電源部４０を冷却するために、吸気ファン５１，５２，５３、排気ファン５４，５５を備えている。
【００３８】
吸気ファン５１，５２，５３は、例えば遠心ファンであるシロッコファンにより構成されている。吸気ファン５１，５２，５３により、筐体１０の外部から内部に、冷却対象部である光学部品を冷却するための気体（空気）が吸い込まれる。
【００３９】
吸気ファン５１には、吸込ダクト６１と吐出ダクト６２とが接続されている。吸気ファン５１は、下側ケース１１に設けられた吸気口（図示略）から、吸込ダクト６１を通して気体を吸い込むとともに、吐出ダクト６２を通して気体を送風する。吐出ダクト６２には、液晶ライトバルブ３６ｒの下方に設けられた吐出口６２ａと、液晶ライトバルブ３６ｂの出射側部位の下方に設けられた吐出口６２ｂとが設けられている。吸気ファン５１から送風された気体は、吐出口６２ａから液晶ライトバルブ３６ｒを冷却する冷却風として吐出されるとともに、吐出口６２ｂから液晶ライトバルブ３６ｂの出射側部位を冷却する冷却風として吐出される。
【００４０】
また、吸気ファン５２には、吸込ダクト６３と吐出ダクト６４とが接続されている。吸気ファン５２は、フィルタカバー１５に設けられた吸気口１５ａ（図１参照）から、吸込ダクト６３を通して気体を吸い込むとともに、吐出ダクト６４を通して気体を送風する。吐出ダクト６４には、液晶ライトバルブ３６ｇの下方に設けられた吐出口６４ａが設けられている。吸気ファン５２から送風された気体は、吐出口６４ａから液晶ライトバルブ３６ｇを冷却する冷却風として吐出される。
【００４１】
また、吸気ファン５３には、吸込ダクト６３と吐出ダクト６５とが接続されている。吸気ファン５３は、吸気ファン５２と同様に、吸込ダクト６３を通して気体を吸い込むとともに、吐出ダクト６５を通して気体を送風する。吐出ダクト６５には、液晶ライトバルブ３６ｂの入射側部位の下方に設けられた吐出口６５ａと、偏光変換素子３２の下方に設けられた吐出口６５ｂとが設けられている。吸気ファン５３から送風された気体は、吐出口６５ａから液晶ライトバルブ３６ｂの入射側部位を冷却する冷却風として吐出されるとともに、吐出口６５ｂから偏光変換素子３２を冷却する冷却風として吐出される。
【００４２】
以上のようにして、吸気ファン５１により送風された気体によって、液晶ライトバルブ３６ｒが冷却される。また、吸気ファン５２により送風された気体によって、液晶ライトバルブ３６ｇが冷却される。また、吸気ファン５１，５３により送風された気体によって、液晶ライトバルブ３６ｂが冷却される。さらに、吸気ファン５３により送風された気体によって、偏光変換素子３２が冷却される。
【００４３】
排気ファン５４，５５は、例えば軸流ファンにより構成されている。排気ファン５４，５５により、筐体の１０の内部から外部に、筐体１０に設けられた排気口（図示略）を通して気体（空気）が排出される。
【００４４】
排気ファン５４は、電源部４０の近傍に設けられている。このため、排気ファン５４が駆動することにより、電源部４０の近傍に設けられている吸気口１３ａ（図１参照）を通して、筐体１０の外部から内部に気体が吸い込まれる。従って、排気ファン５４が、筐体１０内の気体を筐体１０外に積極的に排出することにより、筐体１０の外部の空気が、電源部４０を冷却する冷却風として電源部４０を通過する。このように、排気ファン５４により吸い込まれた気体によって、電源部４０が冷却される。また、排気ファン５５は、ランプ２の近傍に設けられている。このため、排気ファン５５が駆動することにより、ランプ２を冷却した気体が、筐体１０の外部から内部に積極的に排出される。
【００４５】
以上のように、プロジェクタ１は、ランプ２と、ランプ２とは異なる光学部品である偏光変換素子３２及び液晶ライトバルブ３６ｒ，３６ｇ，３６ｂと、電源部４０とを備えている。そして、本実施形態のプロジェクタ１は、冷却対象部であるランプ２を冷却するために、小型の遠心ファン７０を備えている。
【００４６】
ランプ２の近傍に設けられた遠心ファン７０は、電源部４０と、偏光変換素子３２及び液晶ライトバルブ３６ｒ，３６ｇ，３６ｂとの間に設けられている。遠心ファン７０には、吐出ダクト８１が接続されている。遠心ファン７０は、筐体１０の内部の気体を吸い込むとともに、吐出ダクト８１を通して気体をランプ２に送風する。
【００４７】
図４（ａ）及び（ｂ）に示すように、遠心ファン７０は、多数の羽根７６により構成される羽根車を収容するケース７１と、ケース７１を覆うカバー７２とを備えている。カバー７２には、遠心ファン７０の内部に気体を吸い込むための吸込口７３（図４（ａ）参照）が設けられるとともに、ケース７１にも、遠心ファン７０の内部に気体を吸い込むための吸込口７４（図４（ｂ）参照）が設けられている。吸込口７３，７４は、上下方向において互いに異なる方向に向けて開口している。
【００４８】
遠心ファン７０の内部、即ち、ケース７１及びカバー７２により形成される空間には、電動機（図示略）の回転子を構成する回転軸７５と、回転軸７５とともに回転する羽根７６とが設けられている。本実施形態においては、羽根７６は回転方向に向いた前向き羽根である。従って、遠心ファン７０はシロッコファンである。
【００４９】
以上のように吸込口７３，７４を有する遠心ファン７０は、両吸込型のファンであって、回転軸７５を中心として羽根７６が回転することにより、回転軸７５に平行な軸方向である上下方向から気体を吸い込んで、回転軸７５から遠ざかる方向である遠心方向に送風する。このとき、遠心ファン７０は、筐体１０の内部の気体として、偏光変換素子３２及び液晶ライトバルブ３６ｒ，３６ｇ，３６ｂ及び電源部４０を冷却した気体を吸い込む。
【００５０】
図５及び図６を参照しながら、遠心ファン７０に吸い込まれる気体の流れを説明する。図５及び図６における一点鎖線は、気体である冷却風の流れを示している。
図５に示すように、液晶ライトバルブ３６ｒ，３６ｇ，３６ｂ及び偏光変換素子３２を冷却する気体は、吐出口６２ａ，６２ｂ，６４ａ，６５ａ，６５ｂから上方に向けて冷却風として送風される。そして、冷却風は、液晶ライトバルブ３６ｒ，３６ｇ，３６ｂ及び偏光変換素子３２を上方に向けて通過する。そして、遠心ファン７０が、液晶ライトバルブ３６ｒ，３６ｇ，３６ｂ及び偏光変換素子３２を通過した冷却風、即ち、液晶ライトバルブ３６ｒ，３６ｇ，３６ｂ及び偏光変換素子３２を冷却した気体を、吸込口７３を通して上方から吸い込む。
【００５１】
また、図６に示すように、電源部４０を冷却した気体は、排気ファン５４により筐体１０の外部へ排出されるとともに、遠心ファン７０に吸い込まれる。即ち、本実施形態においては、遠心ファン７０は、電源部４０を通過した気体の一部、即ち、電源部４０を冷却した気体を、吸込口７４を通して下方から吸い込む。
【００５２】
以上のようにして、遠心ファン７０は、上下方向の一方である上方から液晶ライトバルブ３６ｒ，３６ｇ，３６ｂ及び偏光変換素子３２を冷却した気体を吸い込むとともに、他方である下方から電源部４０を冷却した気体を吸い込む。そして、遠心ファン７０は、液晶ライトバルブ３６ｒ，３６ｇ，３６ｂ及び偏光変換素子３２及び電源部４０を冷却した気体をランプ２に送風する。液晶ライトバルブ３６ｒ，３６ｇ，３６ｂ及び偏光変換素子３２及び電源部４０を冷却した気体の温度は、ランプ２の温度よりも十分低いため、遠心ファン７０が送風した気体によりランプ２は冷却される。
【００５３】
本実施形態によれば、以下の効果を得ることができる。
（１）プロジェクタ１は、回転軸７５を中心として羽根７６が回転することにより、回転軸７５に平行な軸方向から気体を吸い込んで、回転軸７５から遠ざかる遠心方向に送風する遠心ファン７０を備えている。この遠心ファン７０は、偏光変換素子３２及び液晶ライトバルブ３６ｒ，３６ｇ，３６ｂ及び電源部４０を冷却した気体をランプ２に送風する両吸込型のファンである。このため、片吸込型の遠心ファンに比べて、ファンにおける気体の吸込み面積を大きくすることができ、遠心ファン７０により送風される風量を確保することができる。その結果、ファン（遠心ファン７０）からの送風による光源の冷却を促進することができる。
【００５４】
（２）遠心ファン７０は、軸方向のうち一方から偏光変換素子３２及び液晶ライトバルブ３６ｒ，３６ｇ，３６ｂを冷却した気体を吸い込むとともに、軸方向のうち他方から電源部４０を冷却した気体を吸い込む。このため、偏光変換素子３２及び液晶ライトバルブ３６ｒ，３６ｇ，３６ｂを冷却した気体と電源部４０を冷却した気体とが、それぞれ異なる方向から遠心ファンに吸い込まれる。従って、偏光変換素子３２及び液晶ライトバルブ３６ｒ，３６ｇ，３６ｂから遠心ファン７０に流れる気体の流路と、電源部４０から遠心ファン７０に流れる気体の流路とが異なるため、流路設計が容易である。
【００５５】
（３）遠心ファン７０は、液晶ライトバルブ３６ｒ，３６ｇ，３６ｂを冷却した気体を吸い込んでランプ２に送風する。このため、液晶ライトバルブ３６ｒ，３６ｇ，３６ｂを冷却した気体を、ランプ２の冷却に利用することができる。
【００５６】
（４）遠心ファン７０は、偏光変換素子３２を冷却した気体を吸い込んでランプ２に送風する。このため、偏光変換素子３２を冷却した気体を、ランプ２の冷却に利用することができる。
【００５７】
（５）プロジェクタ１は、電源部４０を冷却した気体を、電源部４０から吸い込むとともに、電源部４０を収容した筐体１０から排出する排気ファン５４を備える。従って、遠心ファン７０と排気ファン５４とにより電源部４０を冷却した気体が吸い込まれるため、遠心ファン７０及び排気ファン５４の一方のみを備える構成に比べて、電源部４０の冷却を促進することができる。
【００５８】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００５９】
・上記実施形態において、電源部４０は、ランプ２、液晶ライトバルブ３６ｒ，３６ｇ，３６ｂ、吸気ファン５１，５２，５３、排気ファン５４，５５、及び遠心ファン７０に電力を供給する構成であったが、これらの全てに電力を供給する構成でなくてもよい。即ち、電源部によって供給される電力の供給先は限定されない。
【００６０】
・偏光変換素子３２及び液晶ライトバルブ３６ｒ，３６ｇ，３６ｂを冷却するための構成を適宜変更してもよい。例えば、吸気ファンの個数及び配置及び形状や、ダクトの個数及び配置及び形状等を適宜変更してもよい。
【００６１】
・上記実施形態においては、冷却対象部である光源は、放電ランプにより構成されたランプ２であったが、放電ランプ以外の光源であってもよい。例えば、光源がＬＥＤ（Light Emitting Diode）であってもよい。
【００６２】
・上記実施形態においては、偏光変換素子３２及び液晶ライトバルブ３６ｒ，３６ｇ，３６ｂの全ての光学部品を冷却した気体が遠心ファン７０に吸い込まれる構成であったが、偏光変換素子３２及び液晶ライトバルブ３６ｒ，３６ｇ，３６ｂのいずれかの光学部品を冷却した気体を遠心ファン７０が吸い込む構成であればよい。
【００６３】
・上記実施形態においては、光源とは異なる冷却対象部である光学部品は、偏光変換素子３２及び液晶ライトバルブ３６ｒ，３６ｇ，３６ｂであったが、これら以外の光学部品を冷却する構成であってもよい。従って、遠心ファン７０が吸い込む気体は、偏光変換素子３２及び液晶ライトバルブ３６ｒ，３６ｇ，３６ｂのいずれかの光学部品を冷却した気体に限られない。
【００６４】
・上記実施形態においては、遠心ファン７０はシロッコファンであったが、遠心ファンが後向き羽根を有するターボファンであってもよい。また、遠心ファンが有する羽根が遠心方向に直線状に延びるものであってもよい。
【符号の説明】
【００６５】
１…プロジェクタ（投写型映像表示装置）、２…ランプ（光源）、１０…筐体、３２…偏光変換素子（光学部品）、３６ｒ，３６ｇ，３６ｂ…液晶ライトバルブ（光学部品）、４０…電源部、５１，５２，５３…吸気ファン、５４，５５…排気ファン、６１，６３…吸込ダクト、６２，６４，６５…吐出ダクト、６２ａ，６２ｂ，６４ａ，６５ａ，６５ｂ…吐出口、７０…遠心ファン、７１…ケース、７２…カバー、７３…吸込口、７４…吸込口、７５…回転軸、７６…羽根、８１…ダクト。
【図１】
2012073524.tif 000003
【図２】
2012073524.tif 000004
【図３】
2012073524.tif 000005
【図４】
2012073524.tif 000006
【図５】
2012073524.tif 000007
【図６】
2012073524.tif 000008